(57)【要約】【課題】シートの再綴じを良好に行うことができる綴じ処理装置を提供する。【解決手段】綴じ処理装置は、シート束の綴じ処理を行う綴じ手段と、前記綴じ手段により既に綴じ処理が行われたシート束の所定領域に再度綴じ処理を行う場合に、前記所定領域の既に綴じ処理が行われた綴じ位置とは異なる綴じ位置に綴じ処理が行われるように前記綴じ手段を制御する制御手段と、を備えている。【選択図】図８
2018008816.tif 000002
【特許請求の範囲】
【請求項１】
シート束の綴じ処理を行う綴じ手段と、
前記綴じ手段により既に綴じ処理が行われたシート束の所定領域に再度綴じ処理を行う場合に、前記所定領域の既に綴じ処理が行われた綴じ位置とは異なる綴じ位置に綴じ処理が行われるように前記綴じ手段を制御する制御手段と、
を備えていることを特徴とする綴じ処理装置。
【請求項２】
前記綴じ手段は、綴じ部材を用いることなく前記綴じ処理を行うことを特徴とする請求項１に記載の綴じ処理装置。
【請求項３】
綴じ処理が行われた領域に再度綴じ処理を行うための再綴じモードを設定可能なモード設定手段を更に有し、
前記制御手段は、前記モード設定手段により再綴じモードが設定されることに応答して、既に綴じ処理が行われた綴じ位置とは異なる綴じ位置に綴じ処理が行われるように前記綴じ手段を制御することを特徴とする請求項１または２に記載の綴じ処理装置。
【請求項４】
前記制御手段は、手差しで挿入されたシート束に対して既に綴じ処理が行われた綴じ位置とは異なる綴じ位置に綴じ処理が行われるように前記綴じ手段を制御することを特徴とする請求項１乃至３のいずれか１項に記載の綴じ処理装置。
【請求項５】
前記制御手段は、前記所定領域の既に綴じ処理が行われた綴じ位置とは異なる綴じ位置に綴じ処理が行われるように前記綴じ手段を制御する際に、前記異なる綴じ位置として複数の位置を設定可能であることを特徴とする請求項１乃至４のいずれか１項に記載の綴じ処理装置。
【請求項６】
請求項１乃至５のいずれか１項に記載の綴じ処理装置を備え、
前記制御手段は、前記綴じ手段により既に綴じ処理が行われたシート束の所定領域に再度綴じ処理を行う場合に、既に綴じ処理が行われた綴じ位置を判定することを特徴とするシート処理装置。
【請求項７】
前記制御手段は、再度綴じ処理を行うシートの画像を読み取り、予め格納されている綴じ跡を示す画像と比較することにより既に綴じ処理が行われた綴じ位置を判定することを特徴とする請求項６に記載のシート処理装置。
【請求項８】
シート束の綴じ処理を行う綴じ手段を備えた綴じ処理装置におけるシートの再綴じ方法であって、
前記綴じ手段により既に綴じ処理が行われたシート束の所定領域に再度綴じ処理を行う場合に、前記所定領域の既に綴じ処理が行われた綴じ位置とは異なる綴じ位置に綴じ処理が行われるように前記綴じ手段を制御する、
ことを特徴とする再綴じ方法。
【発明の詳細な説明】
【技術分野】
【０００１】
本発明は、シートの綴じ処理装置、シート処理装置、及び再綴じ方法に関する。
【背景技術】
【０００２】
コピーやプリンタ機能をもつ画像形成装置には、画像形成後のシートの後処理を行う後処理装置を備えるものがある。後処理装置が行う処理の１つに、金属の針によりシート束を綴じるシート綴じ処理（ステイプル処理）がある。綴じられたシート束は、部ごとに取り扱い易く、複数ページの出力物を扱う際に広く使用されている。ここで、特許文献１は、針といった綴じ部材を使用することなくシートを綴じる針無し綴じを開示している。また、特許文献２は、原稿を読み取った画像データから原稿の綴じ跡の場所と角度を検出し、元の原稿と同じ位置で綴じ処理を行う構成を開示している。
【先行技術文献】
【特許文献】
【０００３】
【特許文献１】特開２００４−１５５５３７号公報
【特許文献２】特開２０１０−４７３６１号公報
【発明の概要】
【発明が解決しようとする課題】
【０００４】
綴じられたシート束の各シートをコピーしたりスキャンしたりするために、シート束を一旦ほどき、コピーやスキャン後に、再度、綴じ直すこと（以下、再綴じとも呼ぶ）がある。ここで、シート束が、元々、針といった綴じ部材で綴じられていると、シートには、針を貫通させていた穴や、針を取り除くときに生じた破れ等があり、同じ位置で綴じるとうまく綴じることができない場合がある。また、シート束が、元々、針無し綴じにより綴じられていると、同じ位置ではシート束をうまく圧着できない場合がある。
【０００５】
本発明は、シートの再綴じを良好に行うことができる綴じ処理装置、シート処理装置及び再綴じ方法を提供するものである。
【課題を解決するための手段】
【０００６】
本発明の一側面によると、綴じ処理装置は、シート束の綴じ処理を行う綴じ手段と、前記綴じ手段により既に綴じ処理が行われたシート束の所定領域に再度綴じ処理を行う場合に、前記所定領域の既に綴じ処理が行われた綴じ位置とは異なる綴じ位置に綴じ処理が行われるように前記綴じ手段を制御する制御手段と、を備えていることを特徴とする。
【発明の効果】
【０００７】
本発明によると、シートの再綴じを良好に行うことができる。
【図面の簡単な説明】
【０００８】
【図１】一実施形態による画像形成装置の構成図。
【図２】一実施形態による後処理装置の構成図。
【図３】一実施形態による画像形成装置の制御構成図。
【図４】一実施形態による再綴じ処理のフローチャート。
【図５】一実施形態による操作部への表示画面を示す図。
【図６】一実施形態による操作部への表示画面を示す図。
【図７】一実施形態による再綴じ処理されたシート束を示す図。
【図８】一実施形態による再綴じ処理のフローチャート。
【図９】一実施形態による綴じ跡検出処理のフローチャート。
【図１０】一実施形態による操作部への表示画面を示す図。
【図１１】一実施形態による操作部への表示画面を示す図。
【図１２】一実施形態による操作部への表示画面を示す図。
【図１３】一実施形態による綴じ跡検出処理の説明図。
【発明を実施するための形態】
【０００９】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１０】
＜第一実施形態＞
図１は、本実施形態による画像形成装置の構成図である。画像形成装置は、画像形成部２００と、原稿読取部３００と、テンキー入力部４００を備えた操作部６００と、後処理装置５００と、を備えている。操作部６００は、画像形成装置に対するユーザの入出力インタフェースである。ユーザが操作部６００を操作することで、画像形成装置は、原稿の読み取り、画像形成、綴じ処理等を行う。原稿読取部３００は、原稿台に載置された原稿を読み取って画像データを生成する。画像形成部２００は、原稿読取部３００からの画像データに基づいてシートに画像形成を行う。なお、画像形成部２００は、原稿読取部３００からの画像データ以外に、他の装置、例えば、コンピュータから送信される画像データや、ネットワークを介して受信する画像データにより画像形成を行うこともできる。画像が形成されたシートは、後処理装置５００の搬送路６０２に排出される。後処理装置５００は、ユーザの設定により、画像形成部２００が搬送路６０２に排出したシートを受け取って予め設定された綴じ位置に綴じ処理を行う。なお、ユーザの設定によっては、画像形成部２００が搬送路６０２に排出したシートに対する綴じ処理を行うことなく、シートを画像形成装置外へと排出する。また、本実施形態の後処理装置５００は、後処理トレイ６０１を備えている。ユーザが後処理トレイ６０１にシート束をセットして操作部６００を操作することで、当該シート束は、順次、搬送路６０２を搬送されて後処理装置５００の本体に取り込まれる。後処理装置５００は、これらシート束の綴じ処理を行う。つまり、後処理装置５００は、画像形成部２００が画像を形成したシート以外のシートに対する綴じ処理を行うこともできる。また、後処理装置５００の手差し口６０３は、外部から挿入されたシート束を綴じ処理する、所謂、マニュアルステイプルのために設けられている。
【００１１】
図２は、後処理装置５００の構成図である。なお、本実施形態の後処理装置５００は、シート束の所定領域に綴じ処理を行うものであるため綴じ処理装置と呼ぶこともできる。また、シート束に対する処理を行うものであるため、シート処理装置と呼ぶこともできる。さらに、後処理装置５００と、画像形成部２００及び／又は原稿読取部３００を含めてシート処理装置と呼ぶこともできる。搬送路６０２からのシートは、入口ローラ対５０２、搬送ローラ対５０３、５０４によりバッファローラ５０５に向けて搬送される。なお、入口ローラ対５０２と搬送ローラ対５０３との間に設けられる搬送センサ５３１は、シートの通過を検知する。バッファローラ５０５の周囲には、押下コロ５１２、５１３及び５１４が設けられている。バッファローラ５０５は、図の反時計回りに回転駆動され、押下コロ５１２、５１３及び５１４により、シートがバッファローラ５０５に巻き付けられる。
【００１２】
押下コロ５１３と押下コロ５１４との間には、切換フラッパ５１１が設けられる。押下コロ５１４の下流側には、切換フラッパ５１０が設けられる。切換フラッパ５１１及び切換フラッパ５１０の動作により、バッファローラ５０５に巻き付けられたシートは、ノンソートパス５２１、バッファパス５２３、及び、ソートパス５２２のいずれかに搬送される。なお、シートを、バッファパス５２３に搬送することで、当該シートは、バッファローラ５０５において後続のシートと重ね合わせられる。つまり、シートをバッファパス５２３に搬送することで、複数のシートがバッファローラ５０５に巻き付けられる。バッファパスには、搬送センサ５３２が設けられている。
【００１３】
バッファローラ５０５に巻き付けられた１枚以上のシートは、切換フラッパ５１１及び切換フラッパ５１０の動作により、最終的には、ノンソートパス５２１又はソートパス５２２に向けて搬送される。ノンソートパス５２１に搬送されたシートは、搬送ローラ対５０９を介してサンプルトレイ７０１に排紙される。なお、ノンソートパス５２１には、シートの通過を検知する搬送センサ５３３が設けられる。ソートパス５２２に搬送されたシートは、搬送ローラ対５０６、５０７を介して処理トレイ６３０上に排紙される。ソートパス５２２の経路上には、シートの通過を検知する搬送センサ５３４が設けられる。
【００１４】
処理トレイ６３０にはシートの端面が突き当てられる後端規制板６９１が設けられる。後端規制板６９１は、シートの搬送方向（長さ方向）に移動可能に構成される。処理トレイ６３０に排紙されたシートは、搬送ローラ対５０７に同期して駆動されるローレットベルト６６１及びパドル６６０によって、搬送方向の後端側に向けて後端規制板６９１に突き当たるまで引き戻される。これにより、搬送方向における整合処理が行われる。エコステイプラ５５０は、積載されたシート束に対して、金属針等の綴じ部材を使用せずに綴じ処理を行う針無し綴じ処理機構である。針ステイプラ６０４は、積載されたシート束に対して、金属針等の綴じ部材を使用して綴じ処理を行う針綴じ処理機構である。なお、エコステイプラ５５０及び針ステイプラ６０４は、処理トレイ６３０の外周に沿って搬送方向に対して垂直な方向に移動可能であり、ユーザが設定した綴じ位置で綴じ処理が可能な様に構成される。
【００１５】
処理トレイ６３０には、シート束を挟むように整合部材６４１が設けられる。整合部材６４１は、シート束の搬送方向に対して直交する方向（幅方向）に移動可能である。整合部材６４１は、処理トレイ６３０上に排紙されたシート束に対して幅方向における整合処理を行う。このように、後処理装置５００は、シートが処理トレイ６３０上に排紙・積載されるたびに搬送方向及び幅方向における整合処理を行うことで、シートのズレを少なくする。
【００１６】
整合処理及び綴じ処理されたシート束は、排出ローラ６８０ａ、６８０ｂからなる排出ローラ対６８０により積載トレイ７００上に排紙される。排出ローラ６８０ｂは、揺動ガイド６５０に支持される。揺動ガイド６５０は、排出ローラ６８０ｂを処理トレイ６３０に積載されたシート束の最上部に当接させるように揺動する。排出ローラ６８０ｂが処理トレイ６３０に積載されたシート束の最上部に当接された状態にあると、排出ローラ対６８０は、処理トレイ６３０のシート束を積載トレイ７００に向けて排出可能になる。出没トレイ６７０は、処理トレイ６３０にシート束を積載する際に上方に突出する。これにより、搬送ローラ対５０７で搬送されたシート束の垂れ下がりや戻り不良などが防止され、処理トレイ６３０上のシート束が整列する。
【００１７】
積載トレイ７００は、昇降可能となっている。紙面検知センサ５４０は、積載トレイ７００又は積載トレイ７００上のシート束の最上面を検知する。紙面検知センサ５４０の検知結果に応じて、積載トレイ７００は、シート束の最上面が一定の位置になるように昇降される。紙有無検知センサ５４１は、積載トレイ７００上のシートの有無を検知する。なお、サンプルトレイ７０１は、積載トレイ７００のように昇降可能ではなく、図２に示された位置で固定される。なお、図２では、手差し口６０３と、手差し口６０３に挿入されたシート束を綴じ処理する機構部分については省略している。
【００１８】
図３は、画像形成装置の制御構成を示している。画像形成部２００の画像形成制御部は、ＣＰＵ２０１と、ＲＯＭ２０２と、ＲＡＭ２０３と、を有する。ＣＰＵ２０１は、ＲＡＭ２０３を作業領域として使用し、ＲＯＭ２０２から適宜プログラムを読み込んで実行することで、画像形成装置の制御を行う。また、画像形成制御部は、操作部６００からユーザの指示を受け取り、操作部６００に画像形成装置の状態表示を行う。また、画像形成制御部のＣＰＵ２０１は、通信インタフェース（ＩＦ）９０８を介して、後処理装置５００とデータの送受信を行う。
【００１９】
後処理装置５００の制御は、主として後処理制御部９５１により行われる。後処理制御部９５１は、ＣＰＵ９５２、ＲＯＭ９５３、及びＲＡＭ９５４を備える。ＣＰＵ９５２は、通信インタフェース（ＩＦ）９１６を介して画像形成部２００から受信したデータに基づき、ＲＡＭ９５４を作業領域として使用し、ＲＯＭ９５３から適宜プログラムを読み込んで実行することで、後処理装置５００の制御を行う。
【００２０】
後処理装置５００は、シート搬送のための、入口モータＭ１、バッファモータＭ２、排紙モータＭ３、ソレノイドＳ１、Ｓ２、搬送センサ５３１〜５３４を備える。入口モータＭ１は、入口ローラ対５０２及び搬送ローラ対５０３、５０４を駆動する。バッファモータＭ２は、バッファローラ５０５を駆動する。排紙モータＭ３は、搬送ローラ対５０７、５０９を駆動する。ソレノイドＳ１は、切換フラッパ５１１を駆動する。ソレノイドＳ２は、切換フラッパ５１０を駆動する。
【００２１】
また、後処理装置５００は、束排紙モータＭ４、揺動モータＭ８、出没トレイモータＭ１１、トレイ昇降モータＭ１２、紙面検知センサ５４０、及び紙有無検知センサ５４１を備える。束排紙モータＭ４は、排出ローラ対６８０を駆動する。揺動モータＭ８は、揺動ガイド６５０を駆動する。出没トレイモータＭ１１は、出没トレイ６７０を駆動する。トレイ昇降モータＭ１２は、積載トレイ７００を昇降させる。
【００２２】
また、後処理装置５００は、綴じ処理を行うための、前整合モータＭ５、後整合モータＭ６、パドルモータＭ７、針ステイプルモータＭ９、針ステイプル移動モータＭ１０、エコステイプルモータＭ１３を備える。前整合モータＭ５及び後整合モータＭ６は、整合部材６４１を駆動する。パドルモータＭ７は、パドル６６０を駆動する。針ステイプルモータＭ９は、針ステイプラ６０４を駆動する。針ステイプル移動モータＭ１０は、針ステイプラ６０４を移動させる。エコステイプルモータＭ１３は、図３で説明したとおり、エコステイプラ５５０を駆動する。後処理装置５００は、針有無検知部９１４も備えており、針ステイプラ６０４の針の有無を検知する。
【００２３】
本実施形態において、ＣＰＵ２０１は、再綴じ処理を行うための再綴じモードを設定可能なモード設定部として機能する。図４は、再綴じ処理に関する設定処理と、再綴じ処理のフローチャートである。本実施形態では、コピーやプリント機能を実行した際の綴じ位置とは異なる綴じ位置でマニュアルステイプルを使って再綴じを行うときの処理について説明する。マニュアルステイプルを行う際、再綴じモードが選択されたことに応答して、コピーやプリント機能を実行した時の綴じ位置とは異なる位置に綴じ処理を行う。既に綴じ処理が行われた位置を避けることでシートの再綴じを良好に行うことができる。なお、再綴じモードの選択は必ずしも行う必要はなく、マニュアルステイプルを行う際は自動的に再綴じモードとして動作しても良い。
【００２４】
ＣＰＵ２０１は、Ｓ１０において、図５に示す表示画面の再綴じモードボタン１００２が押されたかどうかを判定する。なお、図５の画面や、以下に説明する各図の同様の画面は、操作部６００に表示される。再綴じモードボタン１００２が押下されると、ＣＰＵ２０１は、Ｓ１１で、以下に説明する様に、ユーザに各種設定を行わせる。まず、ＣＰＵ２０１は、図６（Ａ）の画面を操作部６００に表示する。図６（Ａ）の画面において、ユーザは、綴じ数を設定する。具体的には、ボタン１１０１を押下すると綴じ数は１ヶ所となり、ボタン１１０２を押下すると綴じ数は２ヶ所となる。また、図６（Ａ）の画面において、ユーザは、綴じ位置を設定する。本実施形態では、ボタン１１０３（手動）を押下すると、ユーザがその綴じ位置を設定し、ボタン１１０４（おまかせ）を押下すると、綴じ位置をＣＰＵ２０１が決定する。続いて、図６（Ａ）の"次へ"ボタンを押下すると、ＣＰＵ２０１は、図６（Ｂ）の画面を操作部６００に表示する。図６（Ｂ）の画面により、ユーザは、綴じ位置、より詳しくは綴じ方向を選択する。具体的には、ボタン１２０３、１２０４及び１２０５により、綴じ位置を、"ヨコ"、"タテ"、"ナナメ"から選択する。この時コピーやプリント機能を実行した際の綴じ位置とは異なる綴じ位置のみ選択可能とする。例えば、コピーやプリント機能を実行した際の綴じ位置が"ナナメ"だった場合、"ナナメ"は選択不可になっており、"ヨコ"、"タテ"が選択可能になっている。図６（Ａ）の画面でボタン１１０４（おまかせ）を押下した場合は、ＣＰＵ２０１が"ヨコ"、"タテ"からランダムに綴じ位置を設定する。なお、綴じ数として１ヶ所を選択していると、"ナナメ"が選択不可の場合、"ヨコ"、"タテ"から１つを選択し、綴じ数として２ヶ所を選択していると、"ヨコ"、"タテ"２つを選択する。また、図６（Ｂ）の画面により、ユーザは、綴じ種類を選択する。具体的には、ボタン１２０１及び１２０２により針無し綴じ処理を行うか、針綴じ処理を行うかを選択する。
【００２５】
ＣＰＵ２０１は、Ｓ１２で、シート束が手差し口６０３に挿入されたかどうかを判定し、挿入されたら、ＣＰＵ２０１は、ユーザが行った設定内容に従って、Ｓ１３で再綴じ処理を実行する。
【００２６】
図７は、再綴じモードでの綴じ位置の例を示す図である。図７の参照符号１３０１は、綴じ位置として"ヨコ"が選択された場合であり、参照符号１３０２は、綴じ位置として"タテ"が選択された場合であり、参照符号１３０３、綴じ位置として"ナナメ"が選択された場合である。
【００２７】
本実施形態では、以前にコピーやプリント機能を実行して綴じられたシート束を再度綴じなおす時に、前回の綴じ位置は選択できなくなっており、前回の綴じ位置とは別の綴じ位置を選択するようにユーザを誘導することができる。これによって、一度綴じた原稿であっても、前回と異なる位置で確実に綴じなおすことが可能になる。なお、図４のフローチャートにおいて、以前にＳ１１で行った設定は、例えば、ＲＡＭ２０３又は不図示の不揮発性メモリに記憶される。したがって、ＣＰＵ２０１が今回の綴じ位置を決定する場合、ユーザは、マニュアルステイプルで手差し口６０３にシート束を挿入するのみで良い。この場合、後処理装置５００は、手差し口６０３にシート束が挿入されると、記憶している設定に従ってコピーやプリント機能を実行した際の綴じ位置とは異なる位置に再綴じ処理を行うことができる。
【００２８】
＜第二実施形態＞
続いて、第二実施形態について説明する。第一実施形態では、前回の綴じ位置は、ＲＡＭ２０３又は不図示の不揮発性メモリに記憶しているコピーやプリント機能を実行した際の綴じ位置であったが、今回とは異なる画像形成装置で前回綴じている場合は、前回の綴じ位置が不明になる。そこで、第二実施形態では、前回の綴じ位置を原稿読取部３００で読み取って決定する方法について説明する。
【００２９】
図８は、本実施形態による再綴じ処理のフローチャートである。Ｓ２０において、図５に示す画面の再綴じモードボタン１００２が押下されると、ＣＰＵ２０１は、図１０に示す画面を操作部６００に表示する。ユーザが再綴じ処理を行うシート束を原稿読取部３００にセットして、図１０の読取開始ボタンを押下すると、ＣＰＵ２０１は、Ｓ２１で、綴じ跡検出処理を行う。なお、綴じ跡検出処理の詳細については後述する。
【００３０】
ＣＰＵ２０１は、綴じ跡検出処理で綴じ跡を検出したか否かをＳ２２で判定する。綴じ跡を検出していないと、ＣＰＵ２０１は、図１１（Ｂ）の画面を操作部６００に表示し、Ｓ２８で、再度、綴じ跡検出処理を行うかどうかをユーザに選択させる。ユーザが、図１１（Ｂ）のボタン２２０１を押下すると、ＣＰＵは、Ｓ２１で綴じ跡検出処理を行う。一方、ユーザが図１１（Ｂ）のキャンセルボタンを押下すると、ＣＰＵ２０１は処理を終了する。
【００３１】
一方、Ｓ２２で綴じ跡を検出すると、ＣＰＵ２０１は、Ｓ２３で、再綴じ位置を決定する。この再綴じ位置は、Ｓ２１の綴じ跡検出処理で検出した綴じ跡とは重ならない位置とする。そして、ＣＰＵ２０１は、Ｓ２４で、図１１（Ａ）に示す画面を操作部６００に表示し、再綴じを行うか否かをユーザに選択させる。図１１（Ａ）のキャンセルボタンが押下されると、ＣＰＵ２０１は処理を終了する。一方、図１１（Ａ）のはいボタン２１０１が押下されると、ＣＰＵ２０１は、Ｓ２５で、図１２に示す画面を表示し、再綴じするシートのセット方法をユーザに指示する。そして、Ｓ２６でユーザが図１２のボタンを押すまで待機する。ここで、ユーザが、図１２のキャンセルボタンを押下すると、ＣＰＵ２０１は処理を終了する。一方、ユーザが、図１２の指示に従いシートを後処理トレイ６０１に置いてスタートボタン２３０１を押下すると、ＣＰＵ２０１は、後処理トレイ６０１のシートを搬送路６０２により搬送して順に取り込み、シートの再綴じ処理を行う。なお、再綴じ処理において針無し綴じとするか、針綴じとするかは、例えば、図６（Ｂ）の画面と同様な画面によりユーザが設定することができる。また、第一実施形態と同じく再綴じ処理を行うシートを手差し口６０３に挿入するようにしても良い。また、後処理トレイ６０１から取り込んだシートの画像を読み取る画像読取部を搬送路６０２の上流側に設けて綴じ跡を検出するようにしても良い。
【００３２】
図９は、図８のＳ２１の綴じ跡検出処理のフローチャートである。Ｓ３０で、ＣＰＵ２０１は、図１０のボタン２００１が押下されるまで待機する。ボタン２００１が押下されると、ＣＰＵ２０１は、Ｓ３１で、原稿読取部３００により、シート束の画像を読み取る。ＣＰＵ２０１は、Ｓ３２で、読み取った画像から、綴じ跡のパターンを検出できたか否かをＳ３２で判定する。図１３は、この綴じ跡のパターン検出方法の説明図である。まず、原稿読取部３００の光源３００１がシートＰに光を照射し、センサ３００２がその反射光を受光し、これにより、ＣＰＵ２０１は、シートＰの画像を読み取る。ＲＯＭ２０２には、図１３（Ｂ）〜（Ｄ）に示す綴じ跡のパターン画像３００３〜３００５を示す画像情報が格納されており、ＣＰＵ２０１は、読み取った画像と、綴じ跡のパターン画像３００３〜３００５とを比較することで、綴じ跡を検出する。パターン画像３００３〜３００５は、針無し綴じで形成される凹凸部を読み取った際の影のパターンである。ＣＰＵ２０１は、読み取ったシートＰに綴じ跡を検出すると、Ｓ３３で、一致したパターン画像とその位置をＲＡＭ２０３に記憶する。
【００３３】
なお、図１３は、針無し綴じによる綴じ跡の検出法を説明するものであるが、同様の方法により、針綴じによる綴じ跡を検出することができる。針綴じによる綴じ跡では、シートに穴や破れが生じ、その部分の反射率が、シートの他の部分とは異なるため、パターンマッチングや、反射率の変化等により針綴じによる綴じ跡を検出することができる。
【００３４】
以上、本実施形態では、原稿読取部３００がシートの画像を読み取ってシートの綴じ跡を検出する。そして、この綴じ跡とは異なる位置でシートの再綴じを行うことで、良好な再綴じを行うことができる。
【００３５】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３６】
３００：原稿読取部、５５０：エコステイプラ、６０４：針ステイプラ
【図１】
2018008816.tif 000003
【図２】
2018008816.tif 000004
【図３】
2018008816.tif 000005
【図４】
2018008816.tif 000006
【図５】
2018008816.tif 000007
【図６】
2018008816.tif 000008
【図７】
2018008816.tif 000009
【図８】
2018008816.tif 000010
【図９】
2018008816.tif 000011
【図１０】
2018008816.tif 000012
【図１１】
2018008816.tif 000013
【図１２】
2018008816.tif 000014
【図１３】
2018008816.tif 000015